(57)【要約】      （修正有）【課題】ポスター等の掲示物を押圧保持する当接部へ、断面円形の弾性条を介装したので、弾力による当接圧力を自動的に調節できると共に、適度の摩擦力によりポスター等を傷つけるおそれなく確実に保持できる。【解決手段】壁面等に当接固定する平面部と、掲示物を支える表示基板３の縁部を嵌合する溝部とを有する基材１と、該基材の一側に一端縁をヒンジ結合し、他端縁により掲示物を押圧保持する押さえ材６とよりなる掲示板の縁材において、前記基材の溝部の２壁面は前記平面部の一側部へ立ち上り、かつ平面部に平行して設けられ、他側の立ち上り部に、ヒンジ用円柱部を前記平面部に平行して設けてあり、前記ヒンジ用円柱部に嵌装する円弧溝を有し、他側部に断面欠円形の筒状部を設け、該筒状部に断面円形の弾性条を嵌着し、前記基材と、押さえ材との間に、基材側へ付勢する弾性材を介装した。【選択図】図２
0003132541.tif 000002
【実用新案登録請求の範囲】
【請求項１】
壁面等に当接固定する平面部と、掲示物を支える表示基板の縁部に嵌合する溝部とを有する軽量材製の基材と、該基材の一側に一端縁をヒンジ結合し、他端縁により掲示物を押圧保持する軽量材製の押さえ材とよりなる掲示板の縁材において、前記基材の溝部の上下２壁面は前記平面部と平行し、該平面部の一側部へ立ち上り、他側の立ち上り部に、ヒンジ用円柱部を前記平面部に平行して設けてあり、前記押さえ材の一側部に、前記ヒンジ用円柱部に嵌装する円弧溝を有し、他側部に断面欠円形の筒状部を前記円弧溝と平行に設け、該筒状部に断面円形の弾性条を嵌着し、前記基材と、押さえ材との間に、押さえ材の前記弾性条を基材側へ付勢する弾性材を介装したことを特徴とする掲示板用の縁材。
【請求項２】
弾性材は、板スプリングとし、一端を基材の円柱側へ係止し、他端を押さえ材の自由端側と係止することを特徴とした請求項１記載の掲示板用の縁材。
【請求項３】
請求項１記載の縁材を、表示基板の四周縁に嵌着固定し、前記縁材の四隅を夫々連結して枠体付きとしたことを特徴とする掲示板。
【請求項４】
請求項１記載の押さえ材を有する押さえ縁材を、表示基板の上縁又は上下縁に嵌着固定し、前記表示基板の左右縁に断面コ状の縁材を嵌装固定して前記押さえ縁材とコ状の縁材の両端を夫々連結して枠体とし、前記コ状の縁材の内壁と、前記表示基板との間に、掲示物縁の挿入間隙を介して押さえ板を嵌入固定したことを特徴とする掲示板。
【請求項５】
請求項３又は４記載の掲示板において、左右縁材の間に１乃至数箇所へ掲示物の押さえ板を設置したことを特徴とする掲示板。
【請求項６】
押さえ板は透明合成樹脂製とし、その開放縁は、掲示物案内として逆面取りしたことを特徴とする請求項４又は５記載の掲示板。
【請求項７】
掲示板の枠体の四隅角部は湾曲面の連結材で連結したことを特徴とする請求項３又は４記載の掲示板。
【請求項８】
表示基板をアルミニウム板又はアルミニウム薄板により発泡板を挟着した複合板としたことを特徴とする請求項３又は４記載の掲示板。
【考案の詳細な説明】
【技術分野】
【０００１】
この考案は、ポスターその他のシート、紙等の掲示物を掲示することを目的とした掲示板用の縁材及び掲示板に関する。
【背景技術】
【０００２】
従来ポスター等の掲示板は広く使用されているが、その主要構造は掲示物を拡げて支える表示基板と、ポスター等の周縁部を表示基板に押さえつけて支持する縁材とにより構成されている。
【０００３】
前記縁材は通常表示基板の周縁部に固定されており、かつポスター等の掲示物の周縁部を押圧保持している。
【特許文献１】特公平１−４０９９７
【特許文献２】実開平５−９５３６２
【特許文献３】特開２００５−３４５８００
【考案の開示】
【考案が解決しようとする課題】
【０００４】
従来知られているポスター等の周縁部押圧保持には、磁石を利用して押圧した考案（特許文献２）があるが、磁石を利用した場合には、表示基板を鉄製とするか、磁石対応部に鉄板を設置しなければならない問題点がある。
【０００５】
また押さえ部をスプリングで付勢する発明の提案もあるが（特許文献１）、提案の発明は金属又は合成樹脂などの構成材の一部がポスター等に直接当接するので、ポスター等の支持力が不十分になるおそれがあった。
【０００６】
更にポスター等との接触材にクッションを介装する提案もあるが（特許文献３）、構造上当接圧力の調整がむつかしくなり、又は構造が複雑になる問題点があった。
【課題を解決するための手段】
【０００７】
然るにこの考案は、基材と、押さえ材との間に、押さえ材を付勢する弾性材を介装すると共に、押さえ材の押さえ部に断面円形の弾性条の一部を露出させてポスター等の掲示物の表面に当接させる構造とすることにより、前記従来の問題点を解決したのである。
【０００８】
即ちこの考案は、壁面等に当接固定する平面部と、掲示物を支える表示基板の縁部に嵌合する溝部とを有する軽量材製の基材と、該基材の一側に一端縁をヒンジ結合し、他端縁により掲示物を押圧保持する軽量材製の押さえ材とよりなる掲示板の縁材において、前記基材の溝部の上下２壁面は前記平面部と平行し、該平面部の一側部へ立ち上り、他側の立ち上り部に、ヒンジ用円柱部を前記平面部に平行して設けてあり、前記押さえ材の一側部に、前記ヒンジ用円柱部に嵌装する円弧溝を有し、他側部に断面欠円形の筒状部を前記円弧溝と平行に設け、該筒状部に断面円形の弾性条を嵌着し、前記基材と、押さえ材との間に、押さえ材の前記弾性条を基材側へ付勢する弾性材を介装したことを特徴とする掲示板用の縁材であり、弾性材は、板スプリングとし、一端を基材の円柱側へ係止し、他端を押さえ材の自由端側と係止するものである。
【０００９】
また他の考案は、請求項１記載の縁材を、表示基板の四周縁に嵌着固定し、前記縁材の四隅を夫々連結して枠体付きとしたことを特徴とする掲示板であり、請求項１記載の押さえ材を有する押さえ縁材を、表示基板の上縁又は上下縁に嵌着固定し、前記表示基板の左右縁に断面コ状の縁材を嵌装固定して前記押さえ縁材とコ状の縁材の両端を夫々連結して枠体とし、前記コ状の縁材の内壁と、前記表示基板との間に、掲示物縁の挿入間隙を介して押さえ板を嵌入固定したことを特徴とする掲示板であり、請求項３又は４記載の掲示板において、左右縁材の間に１乃至数箇所へ掲示物の押さえ板を設置したことを特徴とする掲示板である。
【００１０】
次に他の考案は、押さえ板は透明合成樹脂製とし、その開放縁は、掲示物案内として逆面取りしたものであり、掲示板の枠体の四隅角部は湾曲面の連結材で連結したものであり、表示基板をアルミニウム板又はアルミニウム薄板により発泡板を挟着した複合板としたものである。
【００１１】
この考案は、押さえ材を透明合成樹脂（例えばアクリル樹脂）としたので、ポスター等の押圧部分を可及的に少なくすると共に、押さえ板によって安定保持し、かつ透明にして、ポスター等の露出度を拡大することに留意した。従って有効広告紙面の拡大化を図ったものである。
【００１２】
この考案は押さえ材の当接部と、ポスター等との接触部をスプリングの付勢により一層密にし、工具を使用しなければ押さえ材を開くことが困難となった為に徒にポスターを剥がされるおそれはない。
【００１３】
また工具を使用すれば、押さえ材がきわめて容易に開くので、ポスター等の貼り替えが容易となり、労力と、時間を節減できた。
【００１４】
また掲示板の全体が軽量（アルミフレーム、アルミ複合板など使用）となり、壁面への設置に両面テープを使用して固定し得るなどの容易性が確保できた。
【考案の効果】
【００１５】
この考案によれば、ポスター等の掲示物を押圧保持する当接部へ、断面円形の弾性条を介装したので、弾力による当接圧力を自動的に調節できると共に、適度の摩擦力によりポスター等を傷つけるおそれなく確実に保持できる効果がある。
【００１６】
また縁材と、表示基板共に、アルミニウム材及び合成樹脂などの軽量かつ強靱材を使用したので、ポスター等の保持を確実にすると共に、全体が軽量になり、簡単容易確実に壁面設置ができるなどの効果がある。
【００１７】
更に縁材に空気抜孔を設け、押さえ板の開放端を面取りするなど、ポスター等の設置を容易にし、作業性の向上を図った効果がある。
【００１８】
即ちスプリングの弾力が強い場合には、弾性条が大きく変形し当接面積を増加して、単位面積当たりの当接圧力を調節し、スプリングによる弾力が弱い場合には、弾性条の変形度合が小さいので、当接面積が少なくなるので、単位面積当たりの当接圧力の変化が少ない。
【００１９】
また押さえ材をスプリングで付勢し、かつ弾性条による密接当接を図ったので、工具を使用しなければ、縁材の押さえ材を開きにくくしたなどの効果もある。
【考案を実施するための最良の形態】
【００２０】
この考案は、アルミニウム製基材の一側に、アルミニウム製の押さえ材をヒンジ結合し、押さえ材の他側（自由端）に断面円形の弾性条を嵌着して、弾性押さえ部を形成し、かつ基材と、押さえ材の間に押さえ材の付勢スプリングを介装したので、ポスター等の縁部は、スプリングの付勢押圧力と、弾性材の押圧力とによって適度に加圧保持され、同一保持力を長く（弾性限内の利用だから）保持することができる。
【００２１】
また前記縁材を軽量材製の表示基材の少なくとも上縁又は上下縁に嵌装固定すると共に、縁材を四周に使用しない場合には、前記表示基材の左右縁に断面コ状の縁材を嵌装固定し、透明材による押さえ板を設置したので、全体が軽量であり、ポスター等の保持は確実で、かつ有効面積を増大させることができる。
【実施例１】
【００２２】
この考案の実施例を図１に基づいて説明すると、アルミニウム製の基材１の下面を壁面等に当接固定する平面部１ａとし、前記基材１の一側に、ポスター２（掲示物）の表示基板３の縁部を嵌合するコ状の溝部１ｂを設け、他側上部に、ポスター２の押さえ材６（アルミニウム製）の一側をヒンジ結合させる断面円形の円柱部１ｃを設けて基材１を形成し、前記基材１の円柱部１ｃへ、アルミニウム製の押さえ材６の一側に設けた断面欠円状円筒部６ａを嵌装してヒンジ結合させる。前記表示基板３は、２枚のアルミニウム板３ａ、３ａと、発泡合成樹脂板３ｂとの複合板を用いている（図２（ｄ））。
【００２３】
前記押さえ材６の他側に断面欠円状の円筒部６ｂを設け、該円筒部６ｂ内に、断面円形のゴム条７を嵌入固定し（ゴム条７の一部は、円筒部６ｂから突出させてある）、前記基材１の一側に設けた掛止突部１ｄと、前記押さえ材６の円筒部６ｂに近接して設けた掛止突片６ｃとの間に、前記押さえ材６を基材１側へ付勢する板スプリング８を介装して、この考案の縁材５を構成した。
【００２４】
前記縁材５は図１（ｄ）中実線のように、押さえ材６を開いた場合に、板スプリング８は矢示９のように開放方向へ付勢され、同図中鎖線図示のように閉じた場合は矢示１０のように付勢する。即ち各場面における現状維持すべく付勢することになる。
【００２５】
前記基材１の平面部に両面接着テープ４を貼着すれば、基材１を壁面へ固定することができる（従って掲示板も固定できる）。
【００２６】
この考案は縁材に関するものであるから、各種の掲示板の縁材としても使用することができる。
【実施例２】
【００２７】
この考案の掲示板の実施例を図２、３について説明すると、アルミニウム板３ａ、３ａにより発泡合成樹脂板３ｂを挟着した複合板よりなる表示基板３の上下、左右の四縁に、縁材５、５を嵌装固定して掲示板２０を構成する。前記各縁材５、５の当接四隅は、隅材２１を介して円滑外面に連結する。前記隅材２１は、アルミニウム又は合成樹脂製であって、縁材５、５との連結片２１ａ、２１ａを有すると共に、上面を弧状に形成し、下面を縁材と面一の平面（正面視扇状）として、壁等に当接できるようにしてある。
【００２８】
前記掲示板２０が幅広い場合には、前記表示基板３を適当な幅（例えば７００ｍｍ〜１０００ｍｍ）に分割して、その左右縁を継鋼板１５の左右縁上へ乗せ、前記継鋼板１５の中央部へ、前記表示基板３の縁部と平行に螺筒１６を配置固定し、前記継鋼板１５と、表示基板３とを両面テープ１３で接着固定すれば、隣接表示基板３、３を連結することができる（図２（ａ））。
【００２９】
前記螺筒１６には、止ビス１８で押さえ板１７を固定し、前記表示基板３の上面と、押さえ板１７の下面との間にポスター２の挿入空隙２３を設ける。前記縁材５、５と壁面２２とは、両面接着テープ４と、止ビス２４、２４で固定する。
【００３０】
即ち掲示板１０は軽量であるから、両面接着テープで壁面へ固定できるが、経年変化を考慮すれば、安全性確保の面から、止ビス２４による固定がより好ましい。前記表示基板３と、ポスター２の縁部との間へ滑り止めパッキン条２５を介装すれば、ポスター２を一層確実に固定できる。
【実施例３】
【００３１】
この考案の掲示板の実施例を図３、４について説明すると、アルミニウム板３ａ、３ａにより、発泡合成樹脂板３ｂを挟着した複合板よりなる表示基板３の上下縁へ、縁材５、５を嵌装固定する。前記縁材５、５は嵌装しただけで固定できるが、接着剤を介装することもある。
【００３２】
次に前記表示基板３の左右縁へ、コ状の縁材１１を嵌装し、該コ状縁材１１の内側へ、所定幅のアクリル樹脂製の押さえ材１２の一側を挿入する。前記表示基板３の左右縁上へ両面接着テープ１３を介して押さえ板１２を固定し、押さえ材１２とコ状縁材１１とを接着剤１４で固定すれば、全体を固定することができる。
【００３３】
また掲示板２０が幅広い場合には（図４（ａ））、前記表示基板３を、所定の掲示板２０と同一大きさの継鋼板１５上へ、複数列螺筒１６、１６を固定し、前記各列の螺筒１６、１６上へ透明アクリル製の押さえ板１７、１７を当接して止ビス１８、１８で固定する。前記押さえ板１２、１７の自由端１２ａ、１７ａは、面取りし、ポスターの挿入を容易にしている。図中１９は、コ状縁材に設けた空気抜孔、２２は壁である。
【００３４】
前記中間部に設ける押さえ板１７の数に限定がないが、ポスター等を確実に押さえて展張できる大きさであると共に、ポスター等の大きさに合わせる必要がある。例えば３０ｃｍ〜１００ｃｍ間隔で設ける。
【００３５】
前記縁材５と、コ状縁材１１との当接部（四隅）には、弧形の合成樹脂製の隅材２１、２１を固定して隅部が鋭角にならないようにしてある。
【００３６】
前記図４の実施例は、縁材５を長短２種類使用し、表示基板３も複数分割して中間部へ複数枚の押さえ板１７、１７をセットしたが、中間部の押さえ板１７の数に制約はなく、専らポスター等の大きさに合わせて掲示板２０の大きさを定める。
【００３７】
また縁材５またはコ状縁材１１は、任意長さに切断して所望大きさの掲示板を得ることもできる。例えばポスター等が比較的小さい場合には、表示基板の上縁のみに縁材を嵌着しただけでも、ポスター等を容易に確保できる。
【００３８】
前記実施例においては縁材と、表示基板にアルミニウム材を用いたが、材質に限定はない。但し軽量材の方が、取り扱い、施工共に便利の場合が多い。
【００３９】
この考案は、ポスターに限定されることなく、シート状表示物ならば、何でも掲示することができる。
【図面の簡単な説明】
【００４０】
【図１】（ａ）この考案の縁材の実施例の正面図、（ｂ）同じく背面図、（ｃ）同じく側面図、（ｄ）同じく押さえ板を開いた場合の断面拡大図。
【図２】（ａ）この考案の掲示板の実施例の一部を省略した正面図、（ｂ）同じく側面図、（ｃ）同じく隅材の正面拡大図、（ｄ）同じく表示基板の一部断面拡大図。
【図３】同じく使用状態の一部を省略した断面拡大図。
【図４】（ａ）この考案の掲示板の実施例の一部を省略した正面図、（ｂ）同じく側面図、（ｃ）同じくコ状縁材部分の断面拡大図。
【符号の説明】
【００４１】
１  基材
２  ポスター
３  表示基板
４  両面接着テープ
５  縁材
６  押さえ材
７  ゴム条
８  スプリング
１１  コ状縁材
１２、１７  押さえ板
１３  両面接着テープ
１４  接着剤
１５  継鋼板
１６  螺筒
１８  止ビス
２０  掲示板
【図１】
0003132541.tif 000003
【図２】
0003132541.tif 000004
【図３】
0003132541.tif 000005
【図４】
0003132541.tif 000006